(57)【特許請求の範囲】
【請求項１】
前面開口した縦長状のボックス体の内底部に支持レールを設け、該支持レール上にフレーム体を前後方向スライド自在に支持し、該フレーム体に収納トレーを取り付け、該収納トレーの両側端縁をフレーム体の両側方へ突設しボックス体の内側面に各々近接させて、該収納トレーの両側端縁を同ボックス体の内側面に摺接されるスライドガイド部となし、内巾寸法の異なる複数種の同ボックス体と、これに対応して外巾寸法の異なる複数種の同収納トレーとを備えてなるスライドキャビネットであって、フレーム体の両側に桟材を配設し、両桟材間に上面開口した略器形状の収納トレーを架設して着脱自在に取り付け、該収納トレー上端の同桟材に係止される両側端縁をスライドガイド部となしたものであり、同桟材に係止される収納トレーの側端縁に該桟材の外側へ突出して上面開口した略器形状の補助トレー部を延設し、該補助トレー部の外側端縁を同スライドガイド部となしたことを特徴とするスライドキャビネット。
【請求項２】
ボックス体の前面開口を開閉する前板体をフレーム体の前端に付設し、内巾寸法の異なる複数種のボックス体に対応して外巾寸法の異なる複数種の同前板体を備えたことを特徴とする請求項１記載のスライドキャビネット。
【発明の詳細な説明】
【０００１】
【発明の属する技術分野】
本発明は、流し台、厨房台となるフロアーキャビネットと台所壁面との間隔部分等に設置され、引き出して収納物の出し入れが行われる縦長状のスライドキャビネットに関するものである。
【０００２】
【従来の技術】
従来から、図１５に示す如く、前面開口した縦長状のボックス体１の内底部に支持レール２を設け、該支持レール２上にフレーム体３を前後方向スライド自在に支持し、該フレーム体３に収納トレー４を取り付けてなるスライドキャビネットは知られている。
【０００３】
この場合、ボックス体１は両側板１０、背板１１、底板１２、上板１３で形成され、流し台、厨房台等となるフロアーキャビネット１５と台所壁面３２との間隔部分に設置されている。底板１２の上面には前後方向に長い対の支持レール２が並設固定されており、両支持レール２上にフレーム体３が前後方向スライド自在に係合支持されている。フレーム体３はバー材を骨組状に形成したもので、該フレーム体３には上下二段にして収納トレー４が配設されている。両収納トレー４はいずれも上面開口した略器形状で、前記フレーム体３に架設して取り付けられている。
【０００４】
したがって、この場合、調理具や洗剤等の台所用小物を収納トレー４に載置して、ボックス体１内に収納保管することができる。又、ボックス体１の前面開口からフレーム体３と共に収納トレー４を引き出して、該収納トレー４に載置される台所用小物の出し入れを行うことができる。
【０００５】
【発明が解決しようとする課題】
しかしながら、上記従来の技術においては、フロアーキャビネット１５と台所壁面３２との間隔寸法Ｌに合わせてボックス体１の巾寸法が設定されるが、ボックス体１の内巾寸法が大きくなった場合、該ボックス体１の内側面５とフレーム体３との間には大きなスペースが発生するものであった。
【０００６】
この場合、ボックス体１内でスペースが無駄になり、又、フレーム体３が巾方向で傾き振れ動き易くなってしまう。そこで、フレーム体３の前後方向の横バー材３３にスライド自在に係合される振れ止め具３４を、ボックス体１の一方の内側面５に取着固定していたが、片側でのスライドガイドとなるため、フレーム体３をスムーズにはスライドさせることができず、しかも、振れ止め具３４を所定の位置に取着固定するという面倒な作業が必要となるという問題があった。
【０００７】
本発明は、上記従来の技術における問題を悉く解決するために発明されたもので、すなわち、その課題は、巾変更に簡単に対応することができるものでありながら、フレーム体は振れなくスムーズにスライドされ、ボックス体内のスペースも有効に活用されるスライドキャビネットを提供することである。
【０００８】
【課題を解決するための手段】
本発明の請求項１記載のスライドキャビネットは、前面開口した縦長状のボックス体の内底部に支持レールを設け、該支持レール上にフレーム体を前後方向スライド自在に支持し、該フレーム体に収納トレーを取り付け、該収納トレーの両側端縁をフレーム体の両側方へ突設しボックス体の内側面に各々近接させて、該収納トレーの両側端縁を同ボックス体の内側面に摺接されるスライドガイド部となし、内巾寸法の異なる複数種の同ボックス体と、これに対応して外巾寸法の異なる複数種の同収納トレーとを備えてなる。
【０００９】
したがって、この場合、内巾寸法の異なる複数種のボックス体を備えているので、施工現場に適応したボックス体を設置して、その巾変更に対応することができる。その際、ボックス体の内巾寸法の変化に対応して外巾寸法の異なる複数種の収納トレーをも備えているので、ボックス体の内巾寸法に適応した収納トレーによって、ボックス体内のスペースを無駄なく有効に活用することができ、大きな収納保管スペースを同ボックス体内に確保することができる。又、ボックス体の前面開口からフレーム体と共に収納トレーを引き出して、収納物の出し入れを行うことができ、その使い勝手は良好である。
【００１０】
しかも、収納トレーの両側端縁がフレーム体の両側方へ突出しボックス体の内側面に各々近接して、同ボックス体の内側面に摺接されるスライドガイド部となっているので、縦長状のボックス体内で支持レールによって下支持されるフレーム体であっても、その両側がスライドガイド部で摺接ガイドされながら前後方向にスライドされて、傾き振れ動くことなく安定した状態でスムーズにスライドされる。又、収納トレー自体の両側縁部がスライドガイド部となるので、別途に振れ止め具等を必要とせず、これを取り付ける面倒な作業も不要で、巾変更の対応が簡単となる。
【００１３】
本発明の請求項２記載のスライドキャビネットは、請求項１記載のスライドキャビネットにおいて、ボックス体の前面開口を開閉する前板体をフレーム体の前端に付設し、内巾寸法の異なる複数種のボックス体に対応して外巾寸法の異なる複数種の同前板体を備えたことを特徴とする。
【００１４】
したがって、この場合は特に、フレーム体がボックス体内に収容された際、該ボックス体の前面開口を前板体によって閉塞することができるので、外観良く且つ良好な収納保管状態が得られる。しかも、ボックス体の内巾寸法の変化に対応して外巾寸法の異なる複数種の前板体を備えているので、支障なく巾変更に対応することができる。
【００１５】
又、本発明の請求項１記載のスライドキャビネットは、上記いずれかのスライドキャビネットにおいて、フレーム体の両側に桟材を配設し、両桟材間に上面開口した略器形状の収納トレーを架設して着脱自在に取り付け、該収納トレー上端の同桟材に係止される両側端縁をスライドガイド部となしたものである。
【００１６】
したがって、この場合は特に、フレーム体の両側に配設される両桟材間に収納トレーを架設して簡単に取り付けることができ、該収納トレーは上面開口した略器形状であるので、これに収納物を納めてスライド時にも落下しないよう確実に収納保管することができる。又、収納トレーが着脱自在に取り付けられているので、該収納トレーをフレーム体から取り外して、清掃したり或いは収納物の出し入れを容易に行ったりすることができる。しかも、スライドガイド部は、収納トレー上端の桟材に係止される両側端縁が兼用されることになって、簡単に形成されている。
【００１７】
そして、本発明の請求項１記載のスライドキャビネットは、上記スライドキャビネットにおいて、桟材に係止される収納トレーの側端縁に該桟材の外側へ突出して上面開口した略器形状の補助トレー部を延設し、該補助トレー部の外側端縁をスライドガイド部となしたことを特徴とする。
【００１８】
したがって、この場合は特に、収納トレーの側端縁に桟材の外側へ突出して上面開口した略器形状の補助トレー部が延設されているので、該延設部分は補助トレー部として有効に活用され、より大きな収納容積が確保される。又、巾変更された際にも、両桟材間の間隔寸法が同じフレーム体を共用することが可能となるので、製造コストを低減することができる。しかも、略器形状の収納トレーと略器形状の補助トレー部との間に、その裏下側で溝状部が形成されることになるので、該溝状部にフレーム体の桟材が嵌まり込む状態となって、該桟材に同収納トレーの側端縁はずれ動かないよう確実に係止される。
【００１９】
【発明の実施の形態】
図１〜７は、本発明の請求項１、２全てに対応する一実施形態を示し、該実施形態のスライドキャビネットは、前面開口した縦長状のボックス体１の内底部に支持レール２を設け、該支持レール２上にフレーム体３を前後方向スライド自在に支持し、該フレーム体３に収納トレー４を取り付け、該収納トレー４の両側端縁をフレーム体３の両側方へ突設しボックス体１の内側面５に各々近接させて、該収納トレー４の両側端縁を同ボックス体１の内側面５に摺接されるスライドガイド部６となし、内巾寸法の異なる複数種の同ボックス体１と、これに対応して外巾寸法の異なる複数種の同収納トレー４とを備えてなる。
【００２０】
該実施形態のスライドキャビネットにおいては、フレーム体３の上端付近に収納トレー４を取り付け、該収納トレー４の両側端縁をスライドガイド部６となしている。又、ボックス体１の前面開口を開閉する前板体７をフレーム体３の前端に付設し、内巾寸法の異なる複数種のボックス体１に対応して外巾寸法の異なる複数種の同前板体７を備えている。
【００２１】
又、フレーム体３の両側に桟材８を配設し、両桟材８間に上面開口した略器形状の収納トレー４を架設して着脱自在に取り付け、該収納トレー４上端の同桟材８に係止される両側端縁をスライドガイド部６となしている。この場合、桟材８に係止される収納トレー４の側端縁に該桟材８の外側へ突出して上面開口した略器形状の補助トレー部９を延設し、該補助トレー部９の外側端縁をスライドガイド部６となしてもいる。
【００２２】
ボックス体１は両側板１０、背板１１、底板１２、上板１３で形成され、その下端には台輪部１４が設けられて、流し台、厨房台等となるフロアーキャビネット１５と台所壁面との間隔部分に設置されている。フロアーキャビネット１５の上面カウンターにはシンク、コンロ等が配設され、該上面カウンターがボックス体１上に延設されて上板１３となっている。又、図４〜６に示す如く、ボックス体１の一方の側板１０は後方へ延設されており、該延設部２１によって、上板１３となる上面カウンターの下方で同ボックス体１の後側に発生する間隔の外側方開口が閉塞され、仕上がり外観良く施工される。
【００２３】
ボックス体１の底板１２の上面には前後方向に長い対の支持レール２が並設固定されており、両支持レール２上にフレーム体３が前後方向スライド自在に係合支持されている。この場合、図３に示す如く、底板１２の上面に支持具１６が前後に配設取着され、該前後の支持具１６に対の支持レール２が取着固定されている。両支持レール２には各々レールスライドバー１７が前後方向スライド自在に係合されており、該レールスライドバー１７がフレーム体３の下枠となる。
【００２４】
フレーム体３は、前後の枠材１８と、該両枠材１８間に架設結合される上下の保持枠材１９と、該両保持枠材１９の間で同両枠材１８間に架設結合される補強枠材２０と、同両枠材１８の下端間に架設結合されて下枠となる前記両レールスライドバー１７とで、骨組み状に一体化形成されている。上下の保持枠材１９には各々、収納トレー４が架設して着脱自在に取り付けられるもので、この場合、保持枠材１９の両側辺部分が各々桟材８となって、該両桟材８間に収納トレー４は架設保持される。
【００２５】
収納トレー４は合成樹脂にて一体成形されたもので、図７に示す如く、外巾寸法の異なる三種類のものが品揃えされている。図７（ａ）に示す大巾の収納トレー４は、主収納凹所２２と、その両側の補助収納凹所２３とが一体に形成されたもので、該両補助収納凹所２３が補助トレー部９となる。図７（ｂ）に示す中巾の収納トレー４は、主収納凹所２２と、その片側の補助収納凹所２３とが一体に形成されたもので、該補助収納凹所２３が補助トレー部９となる。図７（ｃ）に示す小巾の収納トレー４は、主収納凹所２２のみで形成されたものである。
【００２６】
この場合、収納トレー４の上端周縁には外方へ突出したフランジ部２４が一体に形成されており、該フランジ部２４の両側端縁がスライドガイド部６となる。図７（ａ）に示す収納トレー４においては、主収納凹所２２の両側で補助収納凹所２３との間に、その裏下側で溝状部２５が形成される。図７（ｂ）に示す収納トレー４においては、主収納凹所２２の片側で補助収納凹所２３との間に、その裏下側で溝状部２５が形成される。それ故に、図７（ａ）に示す収納トレー４は図１、２、４に示すように、図７（ａ）に示す収納トレー４は図５に示すように、図７（ｃ）に示す収納トレー４は図６に示すように、各々フレーム体３に取り付けられる。
【００２７】
すなわち、図７（ａ）に示す収納トレー４の場合は、両側の溝状部２５にフレーム体３の両桟材８が各々嵌まり込む状態となって係止され、該両桟材８間に同収納トレー４はずれ動かないよう確実に架設される。図７（ｂ）に示す収納トレー４の場合は、溝状部２５にフレーム体３の一方の桟材８が各々嵌まり込む状態となって係止され、他方の桟材８上に収納トレー４の片側辺のフランジ部２４が係止され、該両桟材８間に主収納凹所２２が位置して同収納トレー４はずれ動かないよう確実に架設される。図７（ｃ）に示す収納トレー４の場合は、両桟材８上に収納トレー４の両側辺のフランジ部２４が各々係止され、該両桟材８間に主収納凹所２２が位置して同収納トレー４はずれ動かないよう確実に架設される。
【００２８】
このように、ボックス体１、収納トレー４、前板体７は、相互に対応した巾寸法となる三種類のものが品揃えされ、この場合、収納トレー４は工場で三種類のものが製造されるが、ボックス体１及び前板体７は三種類のものが工場で加工組み立てられても、或いは、施工現場で加工組み立てられても良いものである。なお、フレーム体３は同じものが共用される。又、いずれの収納トレー４も、その上端前後両縁のフランジ部２４が保持枠材１９上に係止されて、該保持枠材１９内にその主収納凹所２２の下方突出部分が嵌まり込むように取り付けられる。
【００２９】
したがって、該実施形態のスライドキャビネットにおいては、使い勝手が良好である。すなわち、調理具や洗剤等の台所用小物を収納トレー４に載置して、ボックス体１内に収納保管することができる。又、ボックス体１の前面開口からフレーム体３と共に収納トレー４を引き出して、該収納トレー４に載置される台所用小物の出し入れを行うことができる。
【００３０】
又、内巾寸法の異なる三種類のボックス体１を備えているので、施工現場に適応したボックス体１を選択設置して、その巾変更に対応することができる。その際、ボックス体１の内巾寸法の変化に対応して外巾寸法の異なる三種類の収納トレー４をも備えているので、ボックス体１の内巾寸法に適応した収納トレー４を選択して取り付けることによって、ボックス体１内のスペースを無駄なく有効に活用することができ、大きな収納保管スペースを同ボックス体１内に確保することができる。
【００３１】
しかも、収納トレー４の両側端縁がフレーム体３の両側方へ突出しボックス体１の両内側面５に各々近接して、同ボックス体１の内側面５に摺接されるスライドガイド部６となるので、縦長状で高いボックス体１内で支持レール２によって下支持される背高のフレーム体３であっても、その両側がスライドガイド部６で摺接ガイドされながら前後方向にスライドされて、傾き振れ動くことなく安定した状態でスムーズにスライドされる。又、収納トレー４自体の両側縁部に一体に形成されるフランジ部２４がスライドガイド部６となるので、従来のように、別途に振れ止め具等を必要とせず、これを取り付ける面倒な作業も不要で、巾変更の対応が簡単となる。
【００３２】
又、該実施形態のスライドキャビネットにおいては、背高のフレーム体３の上端付近でその両側のスライドガイド部６によってガイドされるので、該フレーム体３の傾き振れ動きが確実に防止されて、同フレーム体３はより安定した状態でスムーズにスライドされる。又、フレーム体３が収納トレー４と共にボックス体１内に収容された際、該ボックス体１の前面開口を前板体７によって閉塞することができるので、外観良く且つ良好な収納保管状態が得られる。しかも、ボックス体１の内巾寸法の変化に対応して外巾寸法の異なる三種類の前板体７を備えているので、支障なく巾変更に対応することができる。
【００３３】
又、該実施形態のスライドキャビネットにおいては、フレーム体３の両側に配設される両桟材８間に収納トレー４を架設して簡単に取り付けることができ、該収納トレー４は上面開口した略器形状であるので、これに収納物を納めてスライド時にも落下しないよう確実に収納保管することができる。又、収納トレー４が着脱自在に取り付けられているので、該収納トレー４をフレーム体３から取り外して、清掃したり或いは前記収納保管される収納物の出し入れを容易に行ったりすることができる。しかも、スライドガイド部６は、収納トレー４上端の桟材８に係止される両側端縁のフランジ部２４が兼用されることになって、簡単に同収納トレー４と一体に形成されている。
【００３４】
又、この場合、収納トレー４の側端縁に桟材８の外側へ突出して上面開口した略器形状の補助トレー部９が延設されているので、該延設部分は補助トレー部９として有効に活用され、より大きな収納容積が確保される。又、巾変更された際にも、両桟材８間の間隔寸法が同じフレーム体３を共用することが可能となるので、製造コストを低減することができる。しかも、略器形状の収納トレー４と略器形状の補助トレー部９との間に、その裏下側で溝状部２５が形成されることになるので、該溝状部２５にフレーム体３の桟材８が嵌まり込む状態となって、該桟材８に同収納トレー４の側端縁はずれ動かないよう確実に係止される。
【００３５】
図８は、本発明の参考形態を示し、該参考形態のスライドキャビネットにおいては、収納トレー４の外巾寸法に対応して、両桟材８間の間隔寸法が異なる三種類のフレーム体３を備えている。したがって、この場合、内巾寸法が異なる主収納凹所22のみで形成された三種類の収納トレー４が品揃えされ、いずれの収納トレー４も、その上端縁全周にわたるフランジ部24が保持枠材19上に係止されて、該保持枠材19内にその主収納凹所22の下方突出部分が嵌まり込むように取り付けられる。なお、それ以外は、上記実施形態におけると全く同様に構成されている。
【００３６】
したがって、該参考形態のスライドキャビネットにおいては、フレーム体３を共用することができず、又、収納トレー４の裏下側に溝状部25は形成されず、これに桟材８が嵌まり込むことはないが、保持枠材19内に同収納トレー４の主収納凹所22の下方突出部分が嵌まり込むように取り付けられるので、両桟材８間に同収納トレー４はずれ動かないよう確実に係止架設される。それ以外は、上記実施形態におけると全く同様の作用効果が奏される。
【００３７】
図９は、本発明の別の参考形態を示し、該参考形態のスライドキャビネットにおいては、図９（ａ）に示す収納トレー４が小巾である場合は、上記参考形態における図８（ａ）に示す場合と全く同様であり、図９（ｂ）に示す収納トレー４が中巾である場合、及び、図９（ｃ）に示す収納トレー４が大巾である場合において、上記参考形態における図８（ｂ）（ｃ）に示す場合と、収納トレー４の構成が異なっている。
【００３８】
すなわち、図９（ｂ）（ｃ）に示す場合において、収納トレー４は複数の小トレー４１に分割形成されており、該小トレー４１は平面視長方形状でその長辺寸法が短辺寸法の１．５倍の長さに設定されている。それ故に、図９（ｂ）に示す収納トレー４が中巾である場合は、小トレー４１をその長方形状の長手方向が前後方向となるように二つ並設すれば良く、図９（ｃ）に示す収納トレー４が大巾である場合は、同小トレー４１をその長方形状の短手方向が前後方向となるように三つ並設すれば良く、両場合において、収納トレー４全体としての前後方向の長さは等しくなる。
【００３９】
したがって、該参考形態のスライドキャビネットにおいては、収納トレー４が中巾である場合と大巾である場合とで、両収納トレー４となる小トレー41が共用されるので、小巾の収納トレー４と小トレー41との二種類のものを収納トレー４として品揃えするだけで良く、製造コストの低減化が図られる。なお、それ以外は、上記参考形態におけると全く同様に構成されていて、上記参考形態におけると全く同様の作用効果が奏される。
【００４０】
図１０〜１２は、本発明の更に別の参考形態を示し、該参考形態のスライドキャビネットにおいては、収納トレー４が両側の壁部材42と底部材43とに分割形成されており、該底部材43の両側に壁部材42が各々結合一体化されて、同収納トレー４は組立形成されるものである。この場合、図１２に示す如く、底部材43の端縁に凸実部26が形成され、壁部材42の端縁に凹溝部27が形成されており、該凹溝部27に凸実部26が挿入嵌合されて、両者は簡単に結合一体化される。その際、凹溝部27内に凸実部26を挿入嵌合し易くするために、該凸実部26の先端部分には楔状のテーパーが施されており、又、挿入嵌合された凸実部26が凹溝部27から抜け外れないようにするために、該凹溝部27の上下内面に凸起28が形成されている。
【００４１】
又、壁部材４２及び底部材４３はいずれも、合成樹脂にて一体に押出成形されたものを所定の長さ寸法に切断して、容易に製造されたものである。それ故に、収納トレー４の上端前後両縁にはフランジ部２４が形成されることはないが、その両側に突設されるフランジ部２４は各々保持枠材１９の両桟材８上に係止される。又、両壁部材４２の内壁面と底部材４３の上面とが面一に連続するように、両者は結合一体化されるものである。
【００４２】
したがって、該参考形態のスライドキャビネットにおいては、巾寸法の異なる三種類の底部材43を製造し、壁部材42は共用して、外巾寸法の異なる三種類の収納トレー４を簡単に得ることができる。しかも、その際、底部材43の両側に壁部材42を各々結合一体化して、収納トレー４を簡単に製造することができ、製造コストの低減化が図られる。なお、それ以外は、上記参考形態におけると全く同様に構成されていて、上記参考形態におけると全く同様の作用効果が奏される。
【００４３】
図１３は、本発明の更に別の参考形態を示し、該参考形態のスライドキャビネットにおいては、壁部材42の端縁上面に凹段部29が形成され、該凹段部29と底部材43の端縁とに各々貫通孔30が形成されており、該底部材43の端縁が同凹段部29上に係合され、両者の貫通孔30に固定ピン31が挿通されて、両者は簡単に結合一体化される。なお、それ以外は、上記参考形態におけると全く同様に構成されていて、上記参考形態におけると全く同様の作用効果が奏される。
【００４４】
図１４は、本発明の更に別の参考形態を示し、該参考形態のスライドキャビネットにおいては、収納トレー４が巾方向で両側にＬ型下部材44とＬ型上部材45とに分割形成されており、該Ｌ型下部材44とＬ型上部材45とが相互に結合一体化されて、同収納トレー４は組立形成されるものである。この場合、Ｌ型下部材44の端縁上面とＬ型上部材45の端縁下面とに各々凹段部29が形成され、Ｌ型下部材44の凹段部29に巾方向で三つ並ぶ貫通孔30が形成され、Ｌ型上部材45の凹段部29に一つの貫通孔30が形成されており、Ｌ型上部材45の貫通孔30とＬ型下部材44の三つの貫通孔30のうち選択される一つの貫通孔30とが連通合致するように、両者の凹段部29が相互に重係合され、同連通する両者の貫通孔30に固定ピン31が挿通されて、両者は簡単に結合一体化される。
【００４５】
したがって、該参考形態のスライドキャビネットにおいては、固定ピン31が挿通されるＬ型下部材44の貫通孔30を変更し、両者の凹段部29が相互に重係合される位置を異ならせることによって、外巾寸法の異なる三種類の収納トレー４を簡単に得ることができる。しかも、その際、Ｌ型下部材44とＬ型上部材45との二種類の部材を品揃えするだけで良く、両者を相互に結合一体化して、収納トレー４を簡単に製造することができ、製造コストの低減化が図られる。なお、それ以外は、上記参考形態におけると全く同様に構成されていて、上記参考形態におけると全く同様の作用効果が奏される。
【００４６】
【発明の効果】
上述の如く、本発明の請求項１記載のスライドキャビネットにおいては、巾変更の対応が簡単で、ボックス体内のスペースも有効に活用され、しかも、支持レールによって下支持されるフレーム体が、傾き振れ動くことなく安定した状態でスムーズにスライドされる。
【００４８】
本発明の請求項２記載のスライドキャビネットにおいては、特に、ボックス体の前面開口が前板体で閉塞されて、外観良く且つ良好な収納保管状態が得られ、同前板体が存在していても、支障なく巾変更に対応することはできる。
【００４９】
又、本発明の請求項１記載のスライドキャビネットにおいては、収納トレーを架設して簡単に取り付けることができ、該収納トレーに収納物を納めてスライド時にも落下しないよう確実に収納保管することができ、同収納トレーをフレーム体から取り外して、清掃したり或いは収納物の出し入れを容易に行ったりすることもでき、又、スライドガイド部は簡単に形成されている。
【００５０】
そして、本発明の請求項１記載のスライドキャビネットにおいては、特に、補助トレー部によってより大きな収納容積を確保することができ、巾変更されても同じフレーム体を共用することができて製造コストの低減化を図ることができ、しかも、収納トレーの側端縁がずれ動かないよう確実に係止される。
【図面の簡単な説明】
【図１】本発明の一実施形態であるスライドキャビネットを示す縦断面図。
【図２】同スライドキャビネットの斜視図。
【図３】同スライドキャビネットにおけるフレーム体の支持形態を示す斜視図。
【図４】同スライドキャビネットの横断面図。
【図５】同スライドキャビネットの異なる施工形態を示す横断面図。
【図６】同スライドキャビネットの更に異なる施工形態を示す横断面図。
【図７】同スライドキャビネットにおける（ａ）（ｂ）（ｃ）各々異なる形態の収納トレーを示す斜視図。
【図８】本発明の参考形態であるスライドキャビネットを示し、（ａ）（ｂ）（ｃ）各々異なる施工形態における同スライドキャビネットの横断面図。
【図９】別の参考形態であるスライドキャビネットを示し、（ａ）（ｂ）（ｃ）各々異なる施工形態における同スライドキャビネットの横断面図。
【図１０】更に別の参考形態であるスライドキャビネットを示す横断面図。
【図１１】同スライドキャビネットの（ａ）（ｂ）（ｃ）各々異なる施工形態を示す要部縦断面図。
【図１２】同スライドキャビネットにおける収納トレーの分割状態を示す要部拡大縦断面図。
【図１３】更に別の参考形態であるスライドキャビネットにおける収納トレーの分解状態を示す縦断面図。
【図１４】更に別の参考形態であるスライドキャビネットにおける収納トレーの分解状態を示す縦断面図。
【図１５】従来例であるスライドキャビネットを示す縦断面図。
【符号の説明】
１  ボックス体
２  支持レール
３  フレーム体
４  収納トレー
５  内側面
６  スライドガイド部
７  前板体
８  桟材
９  補助トレー部
【図１】
0003555448.tif 000002
【図２】
0003555448.tif 000003
【図３】
0003555448.tif 000004
【図４】
0003555448.tif 000005
【図５】
0003555448.tif 000006
【図６】
0003555448.tif 000007
【図７】
0003555448.tif 000008
【図８】
0003555448.tif 000009
【図９】
0003555448.tif 000010
【図１０】
0003555448.tif 000011
【図１１】
0003555448.tif 000012
【図１２】
0003555448.tif 000013
【図１３】
0003555448.tif 000014
【図１４】
0003555448.tif 000015
【図１５】
0003555448.tif 000016